(57)【要約】【課題】  人工膝関節置換術において、後十字靭帯が使用できない被施術者に、ＣＲタイプの人工膝関節インプラントを適用可能にする。【解決手段】  大腿骨１の遠位部１ａに固定した大腿骨コンポーネント１０と、脛骨２の近位部２ａに固定した脛骨コンポーネント４０とを、大腿骨コンポーネント１０と脛骨コンポーネント４０との間の角変位を許容する紐状の連結部材Ｓで連結する。連結部材Ｓは、後十字靭帯に類似する機能を発揮するから、後十字靭帯を損傷して使用できない被施術者に、ＣＲタイプの人工膝関節を適用して、自然な膝の屈曲動作を実現する。【選択図】    図１
2014023646.tif 000002
【特許請求の範囲】
【請求項１】
大腿骨と脛骨との間に人工膝関節を形成するための人工膝関節インプラントであって、
大腿骨の遠位部に固定される大腿骨コンポーネントと、
脛骨の近位部に固定され、前記大腿骨コンポーネントと接触する脛骨コンポーネントと、
前記大腿骨コンポーネントと前記脛骨コンポーネントとを連結し、前記大腿骨コンポーネントと前記脛骨コンポーネントとの間の角変位を許容する紐状の連結部材とを含むことを特徴とする人工膝関節インプラント。
【請求項２】
前記大腿骨コンポーネントは、前記連結部材の一端が取着される第１の取着部を含み、
前記脛骨コンポーネントは、前記連結部材の他端が取着される第２の取着部を含み、
前記連結部材を、前記第１の取着部に対し係止するための第１の係止部材および第２の取着部に対し係止するための第２の係止部材をさらに含むことを特徴とする請求項１に記載の人工膝関節インプラント。
【請求項３】
前記大腿骨コンポーネントは、二股状に形成された内側顆と外側顆とを含み、
前記内側顆と前記外側顆とによって入り江状の湾曲面部が形成され、
前記第１の取着部は、前記入り江状の湾曲面部のうちの前記内側顆の部分に設けられ、
前記第２の取着部は、前記脛骨コンポーネントの側面部に設けられることを特徴とする請求項２に記載の人工膝関節インプラント。
【請求項４】
前記脛骨コンポーネントは、脛骨に固定され前記第２の取着部を含む脛骨トレイと、前記大腿骨コンポーネントと接触する脛骨プレートとを含んで成ることを特徴とする請求項２または３に記載の人工膝関節インプラント。
【発明の詳細な説明】
【技術分野】
【０００１】
本発明は、膝関節を人工膝関節に置換する手術において用いられる人工膝関節インプラントに関する。
【背景技術】
【０００２】
膝関節が損傷した場合に、膝関節の全体を置換する人工膝関節には、いくつか種類がある。膝関節が大きな損傷を受けている場合には、例えば特許文献１に示されるような、ヒンジ型人工膝関節が用いられる。
【０００３】
また、膝関節の前十字靭帯および後十字靭帯を双方ともに切除する場合で、側副靭帯が残っているときなどには、たとえば特許文献２に示されるような、ＰＳ（Posterior Stabilized）タイプの人工膝関節が用いられる。さらに、前十字靭帯は切除するものの、後十字靭帯を利用できる場合には、ＣＲ（Cruciate Retaining）タイプの人工膝関節が用いられる。
【０００４】
ＰＳタイプまたはＣＲタイプの人工膝関節を構成する人工膝関節インプラントは、一般に、大腿骨の遠位部に固定される大腿骨コンポーネントと、脛骨の近位部に固定される脛骨コンポーネントとを有する。大腿骨コンポーネントは、生体の膝関節面大腿骨側を模した、一部凹曲面を含む概略凸曲面状の大腿骨関節面を備え、脛骨コンポーネントは、湾曲凹面状の脛骨関節面を備える。ＰＳタイプの人工膝関節インプラントは、大腿骨コンポーネントに設けたカムと脛骨関節面に設けたポストとで靭帯機能を代替し、カムとポストとを接触させることによって、屈曲運動を案内する。
【０００５】
ＣＲタイプの人工膝関節インプラントは、大腿骨関節面や脛骨関節面を生体に近い形態とし、後十字靭帯や側副靭帯と協働して、大腿骨関節面を脛骨関節面に対して摺動させることにより、自然な膝の屈曲運動を実現するものである。
【先行技術文献】
【特許文献】
【０００６】
【特許文献１】特開２００４−９７８１７号公報
【特許文献２】特許第４２９０８０３号公報
【発明の概要】
【発明が解決しようとする課題】
【０００７】
特許文献１に示すようなヒンジ型人工膝関節は、膝関節がヒンジで構成されるため、屈曲動作の可能な範囲が限定されるという欠点がある。特許文献２に示すようなＰＳタイプの人工膝関節は、自然な膝の屈曲動作を再現するのが難しいばかりでなく、ポストまたはカムの破損や、ポストとカムとの係合状態が離脱する脱臼の危惧がある。
【０００８】
これに対し、ＣＲタイプの人工膝関節インプラントは、ヒンジ型やＰＳタイプの人工膝関節よりも自然な膝の屈曲動作を再現することができ、ＰＳタイプの人工膝関節と比べると、ポストやカムなどの構造物を持たないため、人体に対する悪影響が少ないという利点を持つ。しかし、後十字靭帯を利用できない場合は、適用することができないという制限がある。
【０００９】
本発明は、後十字靭帯を利用できない場合でも、ＣＲタイプの人工膝関節を適用することを可能にする人工膝関節インプラントを提供することを目的とする。
【課題を解決するための手段】
【００１０】
本発明は、大腿骨と脛骨との間に人工膝関節を形成するための人工膝関節インプラントであって、
大腿骨の遠位部に固定される大腿骨コンポーネントと、
脛骨の近位部に固定され、前記大腿骨コンポーネントと接触する脛骨コンポーネントと、
前記大腿骨コンポーネントと前記脛骨コンポーネントとを連結し、前記大腿骨コンポーネントと前記脛骨コンポーネントとの間の角変位を許容する紐状の連結部材とを含むことを特徴とする人工膝関節インプラントである。
【００１１】
また本発明は、前記大腿骨コンポーネントが、前記連結部材の一端が取着される第１の取着部を含み、
前記脛骨コンポーネントは、前記連結部材の他端が取着される第２の取着部を含み、
前記連結部材を、前記第１の取着部に対し係止するための第１の係止部材および第２の取着部に対し係止するための第２の係止部材をさらに含むことを特徴とする。
【００１２】
また本発明は、前記大腿骨コンポーネントが、二股状に形成された内側顆と外側顆とを含み、
前記内側顆と前記外側顆とによって入り江状の湾曲面部が形成され、
前記第１の取着部は、前記入り江状の湾曲面部のうちの前記内側顆の部分に設けられ、
前記第２の取着部は、前記脛骨コンポーネントの側面部に設けられることを特徴とする。
【００１３】
また本発明は、前記脛骨コンポーネントが、脛骨に固定され前記第２の取着部を含む脛骨トレイと、前記大腿骨コンポーネントと接触する脛骨プレートとを含んで成ることを特徴とする。
【発明の効果】
【００１４】
本発明によれば、人工膝関節インプラントを構成する大腿骨コンポーネントと脛骨コンポーネントとを、両者間の角変位を許容する紐状の連結部材で連結するので、被施術者に人工膝関節置換術を施術するにあたり、後十字靭帯を活用できない場合でも、ＣＲタイプの人工膝関節を適用することが可能である。従来、後十字靭帯が使用できないときは、ＰＳタイプの人工膝関節を適用していた。これに対し、本発明では、ＣＲタイプの人工膝関節の適用が可能となるから、被施術者に、より自然な膝の屈曲動作を実現することができる。
【００１５】
また本発明によれば、連結部材を、大腿骨コンポーネントの第１の取着部、および、脛骨コンポーネントの第２の取着部に対し、第１および第２の係止部材によって後付けすることが可能であるから、被施術者にＣＲタイプの人工膝関節置換術を施術するにあたり、膝の損傷程度に応じ、医師の判断によって、連結部材を使用するか否かを選択できる。すなわち、後十字靭帯を利用できる場合は、連結部材が不要であるから、通常のＣＲタイプの人工膝関節として適用する。後十字靭帯が損傷して使用できない場合は、連結部材を、係止部材によって、大腿骨コンポーネントおよび脛骨コンポーネントに取着し、両者を連結する。このように、膝の後十字靭帯の損傷程度が異なっても、人工膝関節インプラントを交換する必要がなくなり、適用範囲の広い人工膝関節インプラントを提供できる。
【００１６】
本発明によれば、連結部材の第１の取着部を内側顆の湾曲面部に設け、第２の取着部を脛骨コンポーネントの側面部に設けるので、連結部材の配置が、本来の後十字靭帯に近い配置となる。よって、膝の屈曲動作をより自然な状態に近づけることができる。
【００１７】
また本発明によれば、脛骨コンポーネントを、脛骨トレイと脛骨プレートとを含むものとし、第２の取着部を脛骨トレイに設けるので、第２の取着部は、強度の大きい部材に設けられることになり、連結部材の取付強度を大きくすることができる。また、大腿骨コンポーネントと接触する脛骨プレートが、脛骨に固定される脛骨トレイとは別個に製作されるので、大腿骨コンポーネントとの長期にわたる接触によって摩耗した場合に、脛骨プレートだけを交換するのが容易である。
【図面の簡単な説明】
【００１８】
【図１】本発明の一実施形態に係る人工膝関節インプラントＪの使用状況を示す側面断面図である。
【図２】大腿骨コンポーネント１０の斜視図である。
【図３】図（ａ）は、大腿骨コンポーネント１０の背面図、図（ｂ）は、大腿骨コンポーネント１０の平面図、図（ｃ）は、大腿骨コンポーネント１０の底面図である。
【図４】脛骨プレート２０の斜視図である。
【図５】連結部材Ｓを大腿骨コンポーネント１０に取着する構造の一例を示すものであって、図（ａ）は第１の係止部材５０と連結部材Ｓの端部と第１の取着部Ｔ１とを分解して示す一部断面側面図、図（ｂ）は第１の係止部材５０で連結部材Ｓの端部を第１の取着部Ｔ１に取り付けた状況を示す一部断面側面図である。
【図６Ａ】本発明の一実施形態に係る人工膝関節インプラントＪの使用状況を示すものであって、大腿骨１と脛骨２との成す角度がおよそ９０度程度に膝を屈曲させた状態の側面断面図である。
【図６Ｂ】本発明の一実施形態に係る人工膝関節インプラントＪの使用状況を示すものであって、大腿骨１と脛骨２との成す角度がおよそ１３５度程度に膝を屈曲させた状態の側面断面図である。
【発明を実施するための形態】
【００１９】
本発明の一実施形態を、図面を参照して説明する。なお本実施形態は、本発明をＣＲタイプの人工膝関節インプラントに適用したものである。
【００２０】
なお以下の説明において、「内側」または「外側」は、人工膝関節インプラントＪが処置される被施術者の膝の内側または外側を言うものとする。また「前」または「後」は、被施術者にとっての前または後を言うものとする。また、「上」または「下」は、被施術者にとっての上または下を言うものとする。さらに本実施形態では、人工膝関節インプラントＪを、被施術者の左足に施術した状態を説明する。
【００２１】
図１は、本発明の一実施形態に係る人工膝関節インプラントＪの使用状況を示す側面断面図、図２は大腿骨コンポーネント１０の斜視図、図３の図（ａ）は、大腿骨コンポーネント１０の背面図、同図（ｂ）は大腿骨コンポーネント１０の平面図、同図（ｃ）は大腿骨コンポーネント１０の底面図、図４は脛骨プレート２０の斜視図である。
【００２２】
人工膝関節インプラントＪは、例えば、変形性膝関節症や慢性関節リウマチ等により膝関節が高度に変形した被施術者に対し、膝の屈曲機能を回復させるため、損傷した膝関節を人工膝関節に置換する手術において用いられる。
【００２３】
本実施形態の人工膝関節インプラントＪは、図１に示すごとく、大腿骨１の遠位部１ａに固定される大腿骨コンポーネント１０と、脛骨２の近位部２ａに固定される脛骨コンポーネント４０と、大腿骨コンポーネント１０と脛骨コンポーネント４０とを連結する連結部材Ｓとを含んでなる。また脛骨コンポーネント４０は、脛骨２の近位部２ａに固定される脛骨トレイ３０と、脛骨トレイ３０の上面に固定されて大腿骨コンポーネント１０と接触する脛骨プレート２０との２つの部分を含んで成る。なお大腿骨コンポーネント１０および脛骨プレート２０は、形状や寸法の異なるものを複数種類用意し、人工膝関節置換術の施術の時に、施術する医師が最適なものを選択できるようにしてもよい。
【００２４】
大腿骨コンポーネント１０および脛骨プレート２０は、膝の屈曲動作に伴い、相対位置を変位させる。この位置変位は、大腿骨コンポーネント１０と脛骨プレート２０との接触面で、転がり接触およびすべり接触の少なくとも一つが行われることで実現される。
【００２５】
大腿骨コンポーネント１０は、例えばコバルトクロムモリブデン合金やジルコニアセラミックスなどの生体親和性を有する材料を用いて製作される。図２および図３に示すように、本実施形態の大腿骨コンポーネント１０の全体的な外観形状は、側面視において釣り針状であり、平面視においてＵ字状である。
【００２６】
大腿骨コンポーネント１０は、大腿骨１に接触する固定部１２の表面が、大腿骨１の遠位部１ａを覆うことができるように、一部平面状の部分を有する曲面に形成される。そして、固定部１２とは反対側の表面が、生体の膝関節面大腿骨側を模した、一部凹曲面を含む概略凸曲面状の部分を有する大腿骨関節面１１となされている。
【００２７】
大腿骨コンポーネント１０は、主部１０ａの後方に、内側顆１４および外側顆１５が、二股状に突出形成される。内側顆１４が被施術者の膝の内側に位置し、外側顆１５が被施術者の膝の外側に位置する。また、内側顆１４と外側顆１５とによって、両者間に入り江状の湾曲面部１６が形成される。内側顆１４および外側顆１５は主として、遠位部１ａの後方の領域を覆っている。さらに、内側顆１４および外側顆１５の固定部１２には、それぞれ凸部１３が形成されている。各凸部１３は、例えば円柱状である。
【００２８】
大腿骨コンポーネント１０は、次のようにして、大腿骨１に固定される。はじめに、大腿骨１の遠位部１ａの一部を施術者が適宜の切断具により切除して、固定部１２の形状に沿う形状の切削面１ｂを形成する。さらに、固定部１２の凸部１３の位置に合わせて、切削面１ｂに一対の凹部１ｃを形成する。そして、固定部１２と切削面１ｂとを、間に骨セメントを塗布した状態で、当接させるとともに、凸部１３と凹部１ｃとを嵌合させる。これにより、大腿骨コンポーネント１０を大腿骨１に固定することができる。
【００２９】
内側顆１４および外側顆１５は、それぞれ固定部１２とは反対側の表面に大腿骨関節面１１を有する。大腿骨関節面１１は、脛骨プレート２０と接触する概略凸曲面状の部分を有し、被施術者の膝の屈伸運動に伴って脛骨プレート２０上を摺動する。なお内側顆１４の大腿骨関節面１１の形状と、外側顆１５の大腿骨関節面１１の形状とは、ほぼ同様であるが、生体膝関節の自然な動き（屈曲に伴う回旋運動など）を促すため、サイズや曲面の曲率等を適宜変更しても良い。
【００３０】
脛骨コンポーネント４０は、脛骨プレート２０と脛骨トレイ３０とを含んで構成される。脛骨トレイ３０は、金属、セラミックスまたはプラスチックスで製作され、平板状のトレイ本体３１と、トレイ本体３１の下面から突出する軸状のステム部３２とを備える。トレイ本体３１は、脛骨２の近位部２ａの切削処理した端面上に配置され、該トレイ本体３１の上面に、脛骨プレート２０が、着脱可能に固定される。
【００３１】
脛骨プレート２０は、合成樹脂やセラミックスなどで製作され、偏平で、左右に長い小判形の板状に形成される。ただし、脛骨プレート２０の後方中央部には、入り江状の湾曲凹部２３が形成されている。
【００３２】
脛骨プレート２０の上面２０ａの中間部２２は、大腿骨コンポーネント１０と接触しないように構成されており、中間部２２の左右に、大腿骨コンポーネント１０の内側顆１４および外側顆１５を摺動可能に接触させる凹曲面状の脛骨関節面２１が形成されている。
【００３３】
脛骨２に脛骨コンポーネント４０を固定するには、まず、脛骨２の近位部２ａを切削処理して、平坦な切削端面２ｂを形成する。次いで、切削端面２ｂに、施術者によってドリル等で取付穴部２ｃを穿設する。そして、切削端面２ｂに骨セメントを塗布したのち、脛骨トレイ３０のステム部３２を取付穴部２ｃに嵌合させるとともに、トレイ本体３１を脛骨２の切削端面２ｂに当接させる。これにより脛骨トレイ３０が脛骨２に固定される。
【００３４】
このようにして、大腿骨１に固定された大腿骨コンポーネント１０と、脛骨２に固定された脛骨コンポーネント４０とを、本実施形態では、紐状の連結部材Ｓで連結する。連結部材Ｓには、たとえばケブラー（登録商標）等のアラミド繊維、超高分子量ポリエチレン繊維、人工靱帯に用いられているダクロン（登録商標）などのＰＥＴ（ポリエチレンテレフタレート）繊維などの高強度の高分子繊維や、ステンレスワイヤなどの金属繊維や、これらを適宜組み合わせた複合繊維、および、これらをアテロコラーゲンや、ポリ(２−メタクリロイルオキシエチルホスホリルコリン)などの生体親和性材料にてコーティングしたものを用いることが出来る。これらの繊維を通常は複数本束ね、紐状として連結部材を構成する。
【００３５】
連結部材Ｓは、人工膝関節において擬似的な後十字靭帯として機能させるものであるから、後十字靭帯と類似する位置に取り付けることが望ましい。本実施形態では、大腿骨コンポーネント１０の内側顆１４と外側顆１５とで形成される入り江状の湾曲面部１６のうちの内側顆１４の部分に、連結部材Ｓの一端が取着される第１の取着部Ｔ１を設け、脛骨コンポーネント４０の脛骨トレイ３０の後方側の側面部３１ａに、連結部材Ｓの他端が取着される第２の取着部Ｔ２を設ける。そして、連結部材Ｓの両端を、第１の係止部材５０および第２の係止部材６０を用いて、第１の取着部Ｔ１および第２の取着部Ｔ２それぞれに係止する。
【００３６】
連結部材Ｓを第１の取着部Ｔ１に取着するための構造の一例を、図５に例示する。図５の図（ａ）は、第１の係止部材５０と連結部材Ｓの端部と第１の取着部Ｔ１とを分解して示す一部断面側面図であり、図（ｂ）は第１の係止部材５０で連結部材Ｓの端部を第１の取着部Ｔ１に係止した状況を示す一部断面側面図である。
【００３７】
図５に示すように、大腿骨コンポーネント１０の第１の取着部Ｔ１は、開口部５５を小径に形成した収納凹部５６により形成される。連結部材Ｓの一端には、内径を前記開口部５５の孔径よりも大きく形成したリング状の係止端部５４を設ける。第１の係止部材５０は、外径がリング状の係止端部５４の内径よりも大きい頭部５１と、外径がリング状の係止端部５４の内径より小さい保持部５２と、側方から押圧することにより幅寸法を開口部５５の孔径より小さくできる拡縮可能な先端部５３ａおよび首部５３ｂより成る係止突起部５３とを備えて成る。
【００３８】
連結部材Ｓを第１の取着部Ｔ１に取り付けるには、第１の係止部材５０の係止突起部５３を、連結部材Ｓのリング状の係止端部５４に挿通した状態で、第１の取着部Ｔ１である収納凹部５６内へ挿入する。これにより図５（ｂ）に示すごとく、リング状の係止端部５４が、大腿骨コンポーネント１０の表面と、第１の係止部材５０の頭部５１との間に挟持される。係止突起部５３は、幅寸法を縮小させた状態で開口部５５を通過したのち、収納凹部５６内で元の寸法に復帰するから、収納凹部５６から容易に離脱することがない。このようにして、第１の係止部材５０によって、連結部材Ｓの一端部を、大腿骨コンポーネント１０の第１の取着部Ｔ１に係止する構造が構築される。
【００３９】
連結部材Ｓの他方の端部の係止構造は、例えば、脛骨トレイ３０の側面部３１ａに形成する第２の取着部Ｔ２をねじ穴とし、第２の係止部材６０をねじとし、両者の螺合により構築することができる。すなわち、連結部材Ｓの他端部にリング状の係止端部を設け、これに挿通した状態のねじ（第２の係止部材６０）を、脛骨トレイ３０のねじ穴（第２の取着部Ｔ２）に螺合することで、連結部材Ｓの他端を、脛骨トレイ３０に係止することが可能である。
【００４０】
連結部材Ｓで連結された大腿骨コンポーネント１０と脛骨コンポーネント４０とによって構築される人工膝関節は、次のように動作する。図１に示す膝をまっすぐに伸ばした状態、すなわち、大腿骨１および脛骨２の軸線がほぼ同一方向になっているとき、大腿骨関節面１１は、脛骨プレート２０の脛骨関節面２１の広い範囲で接触している。
【００４１】
大腿骨１と脛骨２との屈曲角度が０度から増大するに従い、大腿骨関節面１１は、脛骨関節面２１の上を摺動しながら後方に向けて回動する。そして、図６Ａに示すように、屈曲角度が９０度のときは、大腿骨関節面１１は、脛骨関節面２１に線接触する。さらに屈曲角度が増大するに従い、大腿骨関節面１１は、脛骨関節面２１上を後方に向けて回動し、図６Ｂに示す屈曲角度が約１３５度のときには、大腿骨関節面１１が、脛骨関節面２１の後部領域に接触する。
【００４２】
この屈曲動作の間、連結部材Ｓは、大腿骨関節面１１と脛骨関節面２１との接触状態を維持するように機能して、大腿骨１の遠位部１ａと脛骨２の近位部２ａとの間隔が変動するのを抑制する。また、連結部材Ｓは、膝の屈曲動作を行なうに際し、大腿骨コンポーネント１０と脛骨コンポーネント４０との間に、後十字靭帯によって付与されるのと類似するテンションを発生させるので、被施術者に、より自然な膝の屈曲動作を行わせることができる。
【００４３】
よって、従来、後十字靭帯を損傷した場合は、ＰＳタイプの人工膝関節しか適用できなかったのに対し、本発明によれば、後十字靭帯を損傷した被施術者に、ＣＲタイプの人工膝関節を適用することが可能となり、ＰＳタイプの人工膝関節に比べて、より自然な膝の屈曲動作を実現することが可能となる。また、ＰＳタイプの人工膝関節に比べて、生体骨の切除量が少ないため、健常な骨をより多く温存できるという利点を持つ。
【００４４】
ところで本発明では、被施術者に人工膝関節を施術するにあたり、手術時に、被施術者の後十字靭帯の状態に合わせて、最適なタイプに人工膝関節インプラントを変更することが可能である。たとえば、手術前は、従来のＣＲタイプの人工膝関節インプラントの施術が可能であると判断していた場合であって、手術時に、後十字靭帯の損傷が予想以上にひどいことが発見され、使用することができないと判断されたときは、従来であれば、ＰＳタイプに変更することが必要であった。しかるに本発明によれば、前記判断変更時に、連結部材Ｓを、第１の係止部材５０および第２の係止部材６０を用いて、大腿骨コンポーネント１０の第１の取着部Ｔ１および脛骨コンポーネント４０の第２の取着部Ｔ２に係止することにより、後付けすることが可能であるから、人工膝関節インプラントＪを交換する必要が生じない。また、本発明の人工膝関節は、ＰＳタイプを用意する必要がないので、製造販売業者の在庫保有数を抑制でき、低コスト化につながるという利点もある。
【００４５】
本発明の実施形態は、前述したものに限定されず、種々の変更が可能である。例えば、脛骨コンポーネント４０を、脛骨プレート２０と脛骨トレイ３０とを備えるものとしたが、脛骨プレート２０と脛骨トレイ３０とを一体化した形状の部材とすることも可能である。この場合、部品点数を削減できる。
【符号の説明】
【００４６】
Ｊ  人工膝関節インプラント
１  大腿骨
１ａ  遠位部
１０  大腿骨コンポーネント
１０ａ  主部
１１  大腿骨関節面
１２  固定部
１３  凸部
１４  内側顆
１５  外側顆
１６  湾曲面
２０  脛骨プレート
２０ａ  上面
２１  脛骨関節面
２２  中間部
２３  湾曲凹部
３０  脛骨トレイ
３１  本体部
３１ａ  側面部
３２  ステム部
４０  脛骨コンポーネント
５０  第１の係止部材
６０  第２の係止部材
Ｔ１  第１の取着部
Ｔ２  第２の取着部
【図１】
2014023646.tif 000003
【図２】
2014023646.tif 000004
【図３】
2014023646.tif 000005
【図４】
2014023646.tif 000006
【図５】
2014023646.tif 000007
【図６Ａ】
2014023646.tif 000008
【図６Ｂ】
2014023646.tif 000009